(57)【特許請求の範囲】
【請求項１】
建物の室内側から室外側へ連通する換気ダクトの室外側開口に嵌挿される本体筒部と、
前記本体筒部の室外側端部に設けられ、外壁面との間に通風路を形成する防風板と、
前記防風板の前記本体筒部側に面する側に設けられ、前記防風板の外周縁から中心に向うに従って室内側に突起した凸形状部と、
前記本体筒部と凸形状部との間に、前記外壁面よりも室外側へ突出して設けられたテーパー状のガイド部と、
前記防風板と前記本体筒部との間に設けられ、前記通風路の上部を覆うカバーと
を備え、前記ガイド部が前記カバー内部に収まることを特徴とする屋外端末部品。
【請求項２】
前記凸形状部と前記防風板とは、前記凸形状部の突起形状の仮想延長線上に前記防風板が交わらないように構成されたことを特徴とする請求項１記載の屋外端末部品。
【請求項３】
前記ガイド部の径を前記凸形状部の径よりも大きく形成したことを特徴とする請求項１記載の屋外端末部品。
【請求項４】
前記ガイド部は、その仮想延長線上に前記防風板が交わらないように構成されたことを特徴とする請求項１記載の屋外端末部品。
【請求項５】
前記通風路は、
前記凸形状部と前記ガイド部との間に形成され、
前記防風板の外周方向に向うに従って徐々に拡大して形成されたことを特徴とする請求項１記載の屋外端末部品。
【請求項６】
前記カバーの両側の端部に前記防風板に向って開口が拡大するよう傾斜を設けたことを特徴とする請求項１記載の屋外端末部品。
【発明の詳細な説明】
【技術分野】
【０００１】
本発明は、家屋の外壁に臨んで開口する換気ダクトの屋外開口端に装着される屋外端末部品に関するものである。
【背景技術】
【０００２】
家屋の外壁に臨んで開口する換気ダクトの屋外開口端に装着される屋外端末部品は、換気ダクトの屋外開口端から室内側への風雨の浸入を防止する目的で用いられている。この屋外端末部品の構造は、換気ダクトの屋外開口端に装着される本体筒と、この本体筒の室外側端部前方に室内側への風雨の吹き込みを防止する防風板とが設けられたものが知られている。しかしながら、この防風板は降雨時の風雨の室内浸入には効果があるが、室内の汚れた空気が防風板にあたり、その方向を防風板の外周方向に向きを変えて室外に排気する。この時防風板に当たった空気は防風板により跳ね返され外壁面を沿う排気流となる。室内から排気する空気が汚れていると、その汚れた排気流が外壁面に当たり外壁が汚れるといった問題があった。このような問題から、この防風板の外周縁から中心に向うに従って室内側に厚みが増加する凸形状部を備え排気流の方向を防風板の外周の外壁面から遠ざけるようにするものが提案されている（例えば特許文献１参照）。
また、この種の屋外端末部品には、本体筒の外周に装着し、本体筒より突出し室外側に広くなるテーパー状カバーを設け、排気流を外壁面より遠ざけるようにする構成も知られている（例えば特許文献２参照）。
【先行技術文献】
【特許文献】
【０００３】
【特許文献１】特開２００９−１３３５９２号公報
【特許文献２】特開２００９−１３９０５７号公報
【発明の概要】
【発明が解決しようとする課題】
【０００４】
特許文献１では、防風板より直接凸形状部を設けていることから、凸形状部の端面と防風板との接合を周状にカシメをするか、あるいは凸形状部の端部を板厚分段落しにしこの段落し部にカシメを行なうなど、いずれにしても凸形状部がスムーズな面とならず、防風板と平行な面、あるいはこのカシメ部分により排気流が妨げられることで、一部外壁面側に跳ね返される排気流があり、完全に外壁の汚れをなくすことは困難であった。
また、特許文献２に示すものは、テーパー状カバーと防風板とにより、防風板端部の通風路が狭くなり、排気流の吹き出し部の圧力損失の増加により換気風量を確保できなくなることや、排気される空気が汚れている場合にはテーパー状カバーが汚れるなど、建物の外観を損なうことがあった。
【０００５】
本発明は、上記の課題を解決するためになされたものであり、外壁の壁汚れを軽減することが可能で、換気風量を妨げることがなく、また、建物の外観を損なうことがない、屋外端末部品を得ることを目的とする。
【課題を解決するための手段】
【０００６】
本発明に係る屋外端末部品は、建物の室内側から室外側へ連通する換気ダクトの室外側開口に嵌挿される本体筒部と、前記本体筒部の室外側端部に設けられ、外壁面との間に通風路を形成する防風板と、前記防風板の前記本体筒部側に面する側に設けられ、前記防風板の外周縁から中心に向うに従って室内側に突起した凸形状部と、前記本体筒部と凸形状部との間に、前記外壁面よりも室外側へ突出して設けられたテーパー状のガイド部と、前記防風板と前記本体筒部との間に設けられ、前記通風路の上部を覆うカバーとを備え、前記ガイド部が前記カバー内部に収まるものである。
【発明の効果】
【０００７】
本発明によれば、排気流の流れを防風板が妨げることがなく排気することができ、換気風量を確保でき、排気流の防風板による跳ね返りを無くし建物の外壁を汚すことがない屋外端末部品が得られる。
【図面の簡単な説明】
【０００８】
【図１】一般的な屋外フードの外観を示す斜視図である。
【図２】図１の屋外フードの構造斜視図である。
【図３】図１の屋外フードの給排気の気流の流れを模式的に示す横断面図である。
【図４】本発明の実施の形態１に係る屋外フードの外観を示す斜視図である。
【図５】図４の屋外フードの構造斜視図である。
【図６】図４の屋外フードの製品施工状態を示す斜視図である。
【図７】図４の屋外フード（凸形状部を装着した場合）の気流方向を示す横断面図である。
【図８】図４の屋外フード（凸形状部とガイド部を装着した場合）の気流方向を示す横断面図である。
【図９】ガイド部の形状の違いを示す横断面図である。
【図１０】カバーの形状の違いによる気流の流れを模式的に示す斜視図である。
【図１１】防風板の形状の違いを示す横断面図である。
【図１２】メンテナンス状態を示す斜視図である。
【図１３】取り付け脚の位置を示す水平断面図である。
【発明を実施するための形態】
【０００９】
以下に本発明に係る屋外端末部品の一例として、屋外フードの例を図面に基づいて詳細に説明する。なお、この実施の形態により本発明が限定されるものではない。
【００１０】
実施の形態１．
本発明の実施の形態を説明するのに先立って、一般的な屋外フードについて先ず説明する。
図１は、一般的な屋外フードの外観を示す斜視図である。図２は、図１の屋外フードの構造斜視図である。図３は、図１の屋外フードの給排気の気流の流れを模式的に示す横断面図である。
図３に示されるように、屋内と屋外とを隔てる壁７には、この壁７を貫通する円筒状の換気口７ｂが開口している。この換気口７ｂには、一般に換気口７ｂと円筒状の換気口のダクト（図示しない）が配設されている。屋外フード１は、このような換気口７ｂの（ダクトの）屋外側の壁面に設置される。
【００１１】
図２に示されるように、屋外フード１は、換気口７ｂの屋外の端部を覆うベースプレート２ａと、このベースプレート２ａと組み合わされて換気口７ｂとを連通するパイプガイド２ｂと、パイプガイド２ｂと着脱自在に取り付けられて獣鳥虫類の侵入低減及び気流方向の制御を行うギャラリ４と、換気口７ｂを覆い屋外フード１の外殻を構成するカバー６と、このカバー６とベースプレート２ａを結合する取り付け脚５とによって構成されている。カバー６は、概略２面を開放する円柱を成し、一方の開放面を壁７側に向けて換気口７ｂを覆い、他方の開放面を下方に向けてベースプレート２ａに取り付けられている。
【００１２】
このようにして、換気口７ｂに接続される屋外フード１は、換気口７ｂへの雨水浸入対策、外風対策、獣鳥虫類の侵入防止等の目的で設置されるものであり、室外への室内空気の排気や室内への外気の給気を行う際には、図３の矢印Ａに示すような給排気の気流を形成する（なお、図３の例は排気の場合であり、吸気の場合には矢印の方向が逆になる。このことは後述の図においても同様である。）。屋外フード１の施工方法としては、換気口７ｂにあらかじめ配管されているダクト（図示しない）にドレン水による壁面の凍害防止等のために、パイプガイド２ｂにコーキング処理を施した屋外フード１を取り付け、次いで、雨水浸入防止のために屋外フード１と壁７とが接する換気口７ｂの開口縁部７ａにコーキング処理を施すという手順により行われる。
【００１３】
次に、屋外フードの組立手順を説明する。屋外フード１は、ベースプレート２ａにパイプガイド２ｂを一体化したベースプレート組立品２にギャラリ４を取り付け、さらに取り付け脚５とカバー６とを取り付けて組み立てられている。また、獣鳥虫類の多い場所で使用する場合には、それらの侵入を防ぐためにギャラリ４にさらに網３が取り付けられる。メンテナンスを実施する場合には、開口縁部７ａに施されたコーキングを切断後、前記手順の逆の手順を実施し製品を分解して行う。
【００１４】
以上のようにして一般的な屋外フードの概要が明らかになったところで、本実施の形態１に係る屋外フードについて説明する。
【００１５】
図４は、本発明の実施の形態１に係る屋外フードの外観を示す斜視図である。図５は、図４の屋外フードの構造斜視図である。図６は、製品施工状態を示す斜視図である。
【００１６】
図６に示されるように、建物の壁７に開口する円筒状の換気口７ｂの開口縁外周を覆う様にしてベースプレート組立品８が設置され、このベースプレート組立品８の中央部開口を覆う様にしてフード組立品９が取り付けられている。フード組立品９は２面（周方向、室内側）が開放された円柱を成している。
【００１７】
図５に示されるように、ベースプレート組立品８は、換気口（図示しない）の屋外の端部を覆うベースプレート８ａと、このベースプレート８ａと組み合わされて換気口（図示しない）とを連通するパイプガイド８ｂと、雨水浸入防止及び軒天井への気流方向の制御を行うカバー８ｃとによって構成されている。なお、パイプガイド８ｂは本発明の本体筒部を構成している。
【００１８】
また、図５に示されるように、フード組立品９は、外風の侵入低減を行う防風板９ａと気流制御を行う凸形状部９ｂと、獣鳥虫類の侵入低減及び気流方向の制御を行うギャラリ９ｃと、フード組立品９とベースプレート組立品８を結合する取り付け脚９ｄとによって構成されている。この凸形状部９ｂは、防風板９ａのパイプガイド８ｂ側に面する側に装着されており、防風板９ａの外周縁から中心に向うに従って室内側へ突起が増加する凸形状（三角錐状）をなしている（図７参照）。
【００１９】
次に、屋外フード１ａに凸形状部９ｂが装着された場合の風路について説明する。
図７は、凸形状部９ｂが装着された場合（ギャラリ９ｃは装着されていない）の気流方向を示す横断面図である。なお、図７（ａ）は立ち上がり１０が設けられた場合で、（ｂ）は立ち上がり１０が設けられていない場合の例である。
室外への室内空気の排気や室内への外気の給気を行う際には、図７に矢印Ｂとして示すような給排気の気流を形成する。凸形状部９ｂが装着された場合には、排気流は凸形状部９ｂに当たり、この凸形状部９ｂに沿ってカバー８ｃの先端までガイドされて自由空間へ放出される。
また、この凸形状部９ｂには立ち上がり１０が設けられている（図７（ａ）参照）。この立ち上がり１０は、防風板９ａに対し垂直に且つ防風板９ａから離れる方向に形成されている。そして、立ち上がり１０は、凸形状部９ｂの仮想延長線が防風板９ａと交わらない高さに設定することで、凸形状部９ｂに沿ってガイドされた排気流を防風板９ａに当てることなく、自由空間に放出させる効果がある。この効果により排気流を壁面から離す方向に放出することが可能となり、壁面汚れを低減させている。
【００２０】
次に、凸形状部９ｂとギャラリ９ｃが装着された場合の風路について説明する。
図８は、凸形状部９ｂとギャラリ９ｃが装着された場合の気流方向を示す横断面図である。なお、図８（ａ）は立ち上がり１０が設けられた場合で、（ｂ）は立ち上がり１０が設けられていない場合の例である。図９は、ガイド部１１の他の構成例であり、同図（ａ）はギャラリ９ｃが装着され、同図（ｂ）はギャラリ９ｃが装着されていない例である。
【００２１】
室外への室内空気の排気や室内への外気の給気を行う際、図８に矢印Ｃとして示すような給排気の気流を形成する。
凸形状部９ｂが装着されている場合には、排気流は凸形状部９ｂに当たりこの凸形状部９ｂに沿ってカバー９ａの先端までガイドされて自由空間へ放出される。凸形状部９ｂには凸形状部９ｂの仮想延長線が防風板９ａと交わらない高さで設定された立ち上がり１０が設けられ、外径は防風板９ａよりも小さく設定されている。ギャラリ９ｃの外周部分には外周方向に仮想延長線が防風板９ａと交わらず、凸形状部９ｂよりも急な角度で厚みが増加したテーパー状のガイド部１１がギャラリ９ｃと一体形状で設けられている。凸形状部９ｂに沿ってガイドされた排気流は立ち上がり１０により防風板９ａに当てることなく自由空間に放出される。なお、テーパー状のガイド部１１は、凸形状部９ｂとパイプガイド８ｂとの間に設ければ良く、必ずしもギャラリ９ｃと一体的に形成しなくとも良い。このガイド部１１と凸形状部９ｂとの間に通風路が形成されるが、この通風路は、防風板９ａの外周方向にいくに従って徐々に拡大するように形成されている。
【００２２】
ギャラリ９ｃ付近を流れる気流は、ガイド部１１によって防風板方向に方向を変えて上記の通風路を通って自由空間に放出される。ガイド部１１側を流れる気流が凸形状部９ｂ側を流れる気流を防風板９ａの方向に押し出すことで、凸形状部９ｂのみの状態よりも壁面から気流を離すことが可能になる。前記効果に加えて凸形状部９ｂの外径を防風板９ａより小さくすることで、凸形状部９ｂを沿ってガイドされた気流を一端拡散させることで抵抗を低下させることが可能となり、ガイド部１１を流れる気流の前方への押し出し効果を促進させる効果がある。この効果により排気流を壁面からさらに離す方向に放出することが可能となり、壁面汚れを低減させている。
【００２３】
凸形状部９ｂ及びギャラリ９ｃは一般的に板金１部品若しくは２部品を溶接して部品を製作しており、部品破損時や汚れが落ちなくなった等の状況が発生した場合には、製品交換以外の改善方法が無く、問題の無い部品まで取り替える必要があるという懸念事項があることから、本実施の形態においては、凸形状部９ｂ及びギャラリ９ｃをネジ止めにて固定し、ギャラリ９ｃは製品状態でカバー８ｃの中に入る構造としている。前記形状とすることで、部品破損等の状況が発生した場合でも、不具合のある部品のみの交換が可能なようにしている。
【００２４】
また、一般的な形状の場合にはガイド部１１が露出してしまうと、清掃時の怪我等の懸念事項があることから、図９に示されるように、本実施の形態においてはガイド部１１をカバー８ｃ内に納めることで、怪我等の防止を図っている。
【００２５】
次に、カバー８ｃの形状について説明する。
図１０は、カバー８ｃの形状の違いによる気流の流れを模式的に示す斜視図である。
カバー８ｃの端面は、防風板９ａに垂直な直線若しくは防風板９ａから壁面側に向かって開口が拡大するような傾斜となるのが一般的であるが（同図（ｂ）参照）、カバー８ｃを付けることでフード内部に乱流が発生してしまう。乱流の影響を受けた排気流は気流方向の制御が難しく、制御ができない状態で近くの開口から自由空間へ放出されるという懸念があることから、本実施の形態においては、カバー８ｃの端面を壁面側から防風板９ａに向かって開口を拡大した傾斜部を有する形状としている（同図（ａ）参照）。前記形状とすることで乱流が発生している気流の自由空間への放出防止及び凸形状部９ｂ側を流れる制御された気流に乱流が引き込まれて整流されることにより、図１０の矢印Ｄとして示すような壁７から離れた方向への気流制御が可能となることで壁面汚れ防止を図っている。
【００２６】
次に、防風板９ａの形状について説明する。
図１１は、防風板９ａの形状の違いを示す横断面図である。
図１１（ｂ）に示されるように、防風板９ａはフラットな板で形成されることが一般的であるが、カバー８ｃとの接触面を覆うものが無く、フード内部への雨水浸入、排気流漏れによる壁面汚れ、風切音の発生等の懸念事項があることから、本実施の形態においては、図１１（ａ）に示されるように防風板９ａのカバー８ｃと重なる部分（立上部１２）を長くしている。前記形状とすることで、フード内部への雨水浸入、排気流漏れによる壁面汚れ、風切音の発生等の防止を図っている。
【００２７】
次にメンテナンス方法について説明する。
図１２はメンテナンス時のフードを取り外す方法を示す斜視図である。図１３は製品状態での取り付け脚の位置を示す水平断面図である。
屋外フード１ａは、ベースプレート組立品８のカバー８ｃ外周に取り付けられているネジを外し、フード組立品を取り外した後、温度ヒューズ（図示しない）交換等のメンテナンスを実施する。メンテナンス後の製品組立は上記と逆手順で実施する。取り付け脚９ｄは円周３等分や円周４等分といった均等配置が一般的である。しかし、方向性がある場合には取り付け間違いの原因となるという懸念事項があることから、図１３に示されるように、ギャラリ９ｃの外周部のガイド部１１に形成された係合部１１ａを、周方向に非均等配置（Ａ≠Ｂ）にすることで、取り付け脚９ｄを非均等配置にして取り付け間違いの防止を図っている。このことは、凸形状部９ｂに防風板９ａを係合する係合部や、ガイド部１１とパイプガイド８ｂ（ベースプレート組立品８）とを係合する係合部においても同様であり、複数の係合部の少なくとも一箇所は、その隣り合う係合部との間隔の距離をずらして配置される。
【符号の説明】
【００２８】
１  屋外フード、１ａ  凸形状部を取り付けた場合の屋外フード、２  ベースプレート組立品、２ａ  ベースプレート、２ｂ  パイプガイド、３  網、４  ギャラリ、５  取り付け脚、６  カバー、７  壁、７ａ  開口縁部、７ｂ  換気口、８  ベースプレート組立品、８ａ  ベースプレート、８ｂ  パイプガイド、８ｃ  カバー、９  フード組立品、９ａ  防風板、９ｂ  凸形状部、９ｃ  ギャラリ、９ｄ  取り付け脚、１０  立ち上がり、１１  ガイド部、１２ 立上部。
【図１】
0005843676.tif 000002
【図２】
0005843676.tif 000003
【図３】
0005843676.tif 000004
【図４】
0005843676.tif 000005
【図５】
0005843676.tif 000006
【図６】
0005843676.tif 000007
【図７】
0005843676.tif 000008
【図８】
0005843676.tif 000009
【図９】
0005843676.tif 000010
【図１０】
0005843676.tif 000011
【図１１】
0005843676.tif 000012
【図１２】
0005843676.tif 000013
【図１３】
0005843676.tif 000014